(57)【要約】【課題】両面ユニットの装着が不十分なまま印刷が実行されることを回避する。【解決手段】両面ユニット２３０が装着されていることが検知されると、両面ユニット接続状態検知フラグＦ１がＯＮに設定され、ＲＡＭ５０３に記憶される。検知フラグＦ１が一旦ＯＮになると、装置電源がＯＦＦされるまではＯＮのまま保持される。両面ユニット２３０がなく且つ片面ジョブが投入された場合において、検知フラグＦ１がＯＮでない場合は片面印刷が実行される。しかし検知フラグＦ１がＯＮである場合は、起動後に両面ユニット２３０が１回以上装着されたことがあるのに、現在は未装着となっている場合である。そこで、表示部５１７に両面ユニット２３０が未装着であることを示す両面ユニット未装着エラーが、両面ユニット２３０が装着されるまで表示され、両面ユニット２３０が半挿しの状態で印刷が実行されるのが回避される。【選択図】図７
2016043615.tif 000002
【特許請求の範囲】
【請求項１】
両面ユニットが着脱可能な画像形成装置であって、
前記両面ユニットが装着されたか否かを検知する検知手段と、
前記画像形成装置の起動後に前記両面ユニットが装着されたことが前記検知手段により検知された場合に、前記両面ユニットが装着状態である旨を記憶する記憶手段と、
投入されたジョブに従って印刷を行う印刷手段と、
前記両面ユニットが装着状態である旨が前記記憶手段に記憶されている状態で、前記両面ユニットが装着されていないことが前記検知手段により検知された場合に、前記印刷手段による印刷を禁止するよう制御する制御手段と、を有することを特徴とする画像形成装置。
【請求項２】
前記検知手段は、前記両面ユニットが装着されたか否かを、少なくとも前記画像形成装置の起動時に検知することを特徴とする請求項１に記載の画像形成装置。
【請求項３】
投入されたジョブが両面ジョブである場合において前記両面ユニットが装着されていないことが前記検知手段により検知されたときは、前記制御手段は、前記両面ユニットが装着状態である旨が前記記憶手段に記憶されているか否かにかかわらず、前記印刷手段による印刷を禁止するよう制御することを特徴とする請求項２に記載の画像形成装置。
【請求項４】
投入されたジョブが片面ジョブであり且つ前記印刷手段による印刷が禁止された場合に、前記印刷手段による印刷禁止を解除するための解除指示をユーザから受け付ける受け付け手段を有し、
前記制御手段は、前記受け付け手段により前記解除指示が受け付けられた場合は前記印刷手段による印刷の禁止を解除するように制御することを特徴とする請求項１〜３のいずれか１項に記載の画像形成装置。
【請求項５】
ジャムの発生を監視する監視手段を有し、
前記制御手段は、前記印刷手段による印刷の禁止を解除した後に前記監視手段によりジャムの発生が検知された場合は、その後の前記受け付け手段による前記解除指示の受け付けができないように制御することを特徴とする請求項４に記載の画像形成装置。
【請求項６】
第１面への印刷を終えた記録材を下流に搬送する際に正回転し、第１面への印刷を終えた記録材の第２面への印刷を行う際に逆回転するローラを有し、
前記ローラを駆動する駆動源が、前記両面ユニットの装着時と未装着時とでメカ的に切り替わるように構成され、
前記監視手段は、搬送路における前記ローラのある位置におけるジャムの発生を監視することを特徴とする請求項５に記載の画像形成装置。
【請求項７】
前記制御手段は、前記受け付け手段による前記解除指示の受け付けができないように制御する場合に、前記印刷手段による印刷を禁止するよう制御することを特徴とする請求項５または６に記載の画像形成装置。
【請求項８】
前記制御手段は、前記印刷手段による印刷を禁止するよう制御する場合に、前記両面ユニットを装着することを促すための表示を表示部に表示させるよう制御することを特徴とする請求項１〜７のいずれか１項に記載の画像形成装置。
【請求項９】
前記制御手段は、前記印刷手段による印刷を禁止するよう制御した場合に、前記両面ユニットが装着されたことが前記検知手段により改めて検知されると、前記印刷手段による印刷の禁止を解除するよう制御することを特徴とする請求項１〜８のいずれか１項に記載の画像形成装置。
【請求項１０】
前記記憶手段は、前記両面ユニットが装着状態である旨を記憶した場合、その記憶を前記画像形成装置の電源がオフされるまで維持することを特徴とする請求項１〜９のいずれか１項に記載の画像形成装置。
【請求項１１】
前記検知手段は、前記両面ユニットが装着されたか否かを電気的に検知することを特徴とする請求項１〜１０のいずれか１項に記載の画像形成装置。
【請求項１２】
両面ユニットが着脱可能な画像形成装置の制御方法であって、
前記両面ユニットが装着されたか否かを検知する検知工程と、
前記画像形成装置の起動後に前記両面ユニットが装着されたことが前記検知工程により検知された場合に、前記両面ユニットが装着状態である旨を記憶手段に記憶させる記憶工程と、
投入されたジョブに従って印刷を行う印刷工程と、
前記両面ユニットが装着状態である旨が前記記憶手段に記憶されている状態で、前記両面ユニットが装着されていないことが前記検知工程により検知された場合に、前記印刷工程による印刷を禁止するよう制御する制御工程と、を有することを特徴とする画像形成装置の制御方法。
【請求項１３】
両面ユニットが着脱可能な画像形成装置を有する画像形成システムであって、
前記両面ユニットが装着されたか否かを検知する検知手段と、
前記画像形成装置の起動後に前記両面ユニットが装着されたことが前記検知手段により検知された場合に、前記両面ユニットが装着状態である旨を記憶する記憶手段と、
投入されたジョブに従って印刷を行う印刷手段と、
前記両面ユニットが装着状態である旨が前記記憶手段に記憶されている状態で、前記両面ユニットが装着されていないことが前記検知手段により検知された場合に、前記印刷手段による印刷を禁止するよう制御する制御手段と、を有することを特徴とする画像形成システム。
【発明の詳細な説明】
【技術分野】
【０００１】
本発明は、両面ユニットが着脱可能な画像形成装置を制御する技術に関する。
【背景技術】
【０００２】
従来、両面印刷を行うための反転用搬送路等を備える両面ユニットを着脱可能な画像形成装置が知られている。この装置では、両面ユニットが装着されていることをセンサで検知できる構成とし、両面ユニットの装着が検知されていない状態で両面印刷用の画像データを受信すると、エラー情報を表示し、印刷処理を停止していた。
【０００３】
また、両面ユニットの装着が検知されていない状態で両面ユニットが装着されると、それまで停止していた印刷データの印刷処理を実行するようにした画像形成装置も知られている（特許文献１）。この特許文献１によれば、片面印刷する場合は、両面ユニットが装着されていなくても印刷は可能であるので、印刷処理は保留されずに印刷が実行される。
【先行技術文献】
【特許文献】
【０００４】
【特許文献１】特開２００６−３５５６４号公報
【発明の概要】
【発明が解決しようとする課題】
【０００５】
しかしながら、両面ユニットが着脱可能な画像形成装置において、両面ユニットの装着が不十分だと、両面ユニットの装着が電気的には検知されていなくても、メカ的には両面ユニットが装着位置に配置されている状態となる場合がある。このような場合、センサによる検知結果としては両面ユニットが未装着であるため、両面印刷がなされることはない。しかし、片面ジョブを実行する場合に、制御上は片面印刷としての制御がなされるのに、駆動系の伝達や搬送路の構成は両面印刷用の状態となっているため、片面印刷を適切に実行できずにジャムになるおそれがある。すると画像形成装置に損傷を与える可能性もある。
【０００６】
すなわち、「両面ユニットが完全に取り外されている状態」と、「ユーザは両面ユニットを装着したと認識していても装着が不十分な状態」とが、電気的な検知によっては区別がつかない。従って、これらの両方の状態を考慮した印刷制御を行うことが望まれる。
【０００７】
本発明は上記従来技術の問題を解決するためになされたものであり、その目的は、両面ユニットの装着が不十分なまま印刷が実行されることを回避することにある。
【課題を解決するための手段】
【０００８】
上記目的を達成するために本発明は、両面ユニットが着脱可能な画像形成装置であって、前記両面ユニットが装着されたか否かを検知する検知手段と、前記画像形成装置の起動後に前記両面ユニットが装着されたことが前記検知手段により検知された場合に、前記両面ユニットが装着状態である旨を記憶する記憶手段と、投入されたジョブに従って印刷を行う印刷手段と、前記両面ユニットが装着状態である旨が前記記憶手段に記憶されている状態で、前記両面ユニットが装着されていないことが前記検知手段により検知された場合に、前記印刷手段による印刷を禁止するよう制御する制御手段と、を有することを特徴とする。
【発明の効果】
【０００９】
本発明によれば、両面ユニットの装着が不十分なまま印刷が実行されることを回避することができる。
【図面の簡単な説明】
【００１０】
【図１】画像形成装置を有する画像形成システムの構成を示す図である。
【図２】両面ユニットが未装着状態のプリンタの概略構成を示す断面図である。
【図３】両面ユニットが装着状態のプリンタの概略構成を示す断面図である。
【図４】両面ユニットの未装着時（図（ａ））、装着時（図（ｂ））における排紙ローラ及び定着モータの近辺の拡大図である。
【図５】駆動ギア及び排紙ローラをそれぞれ回動中心の軸線方向（図（ａ））、軸線に垂直な方向（図（ｂ））から見た図である。
【図６】コントローラユニットのハードウェア構成を示すブロック図である。
【図７】起動時における処理のフローチャートである。
【図８】エラー表示の一例を示す図である。
【図９】起動時における処理のフローチャートである。
【発明を実施するための形態】
【００１１】
以下、本発明の実施の形態を図面を参照して説明する。
【００１２】
（第１の実施の形態）
図１は、本発明の第１の実施の形態に係る画像形成装置を有する画像形成システムの構成を示す図である。この画像形成システムは、画像形成装置としてのプリンタ１０３とパーソナルコンピュータ（ＰＣ）１０２とが、ネットワーク１０４で接続されて構成される。ネットワーク１０４としてＵＳＢやＬＡＮが例示されるが、これらに限られない。ユーザ１０１はＰＣ１０２で動作するアプリケーションから指示を行うことによりプリンタ１０３に任意の設定や印刷指示を行うことができる。
【００１３】
図２、図３は、プリンタ１０３の概略構成を示す断面図である。プリンタ１０３は、記録材に両面印刷を行うための両面ユニット２３０を着脱可能に構成される。図２、図３ではそれぞれ、両面ユニット２３０の未装着状態（取り外し状態）、装着状態を示している。両面ユニット２３０は、プリンタ１０３に着脱可能なオプションユニットであるとする。主要な構成要素について図３で説明する。
【００１４】
プリンタ１０３は、２つの記録材カセット２０３、画像形成部２０７及び両面ユニット２３０を有し、また、主な搬送路として、メイン搬送路２４０、排出搬送路２４１及び反転用搬送路２４２を有する。これらのうち反転用搬送路２４２は、プリンタ１０３の本体内に形成される反転用搬送路２４２ａ、２４２ｂと、両面ユニット２３０内に形成される反転用搬送路２４２ｃとで構成される。両面ユニット２３０がプリンタ１０３に適切に装着されたとき、反転用搬送路２４２ａ、２４２ｃ、２４２ｂが連続する。
【００１５】
また、プリンタ１０３は、各搬送路において記録材を搬送するために、複数のローラ、例えば、２つの給送ローラ２０２、レジストローラ２０４及び排紙ローラ２２０を含む。さらに、プリンタ１０３は、装置内の記録材を検知するための複数のセンサとして、例えば、２つの記録材有無センサ２０１、レジストセンサ２０５、記録材検知センサ２０６、排出センサ２０８、両面ユニット検知センサ２０９を含む。記録材カセット２０３は、画像を形成する記録材を装置内に供給する。
【００１６】
画像形成部２０７は、記録材に画像を形成するために、露光部、感光体ドラム及び現像部を含む。画像形成部２０７は、露光部により像担持体としての感光体ドラム上に静電潜像を形成する。この静電潜像は後述するコントローラユニット５１３（図６）が受信した画像データに応じて形成される。形成された静電潜像は現像部により現像され、所定の転写位置で記録材に転写される。記録材に転写されたトナー像は、定着装置（不図示）により加熱及び加圧されることにより記録材に定着される。
【００１７】
メイン搬送路２４０は、給送ローラ２０２から排紙ローラ２２０にかけて形成され、記録材に画像を形成するための搬送路である。排出搬送路２４１は、排紙ローラ２２０からプリンタ１０３の機外にかけて形成され、記録材を機外へ（下流へ）排出するための搬送路である。また、排出搬送路２４１は、記録材の両面に印刷する場合、表面である第１面に画像が形成された記録材を反転用搬送路２４２に搬送するための搬送路でもある。反転用搬送路２４２は、排紙ローラ２２０から両面ユニット２３０内を通じてレジストローラ２０４にかけて形成され、メイン搬送路２４０に表裏を反転させた記録材を供給するための搬送路である。
【００１８】
記録材有無センサ２０１は、記録材カセット２０３に載置される記録材の有無を検知するセンサである。レジストセンサ２０５、記録材検知センサ２０６及び排出センサ２０８は、搬送されてきた記録材を検知する。これらのセンサは、メカ的な構成のスイッチでも光学的な構成のセンサでもよい。レジストセンサ２０５は、搬送されてきた記録材と、感光体ドラムに形成されたトナー像との転写タイミングを調整するために用いられる。また、レジストセンサ２０５は、記録材の副走査方向の長さを測定するためにも用いられる。記録材の副走査方向の長さは、レジストセンサ２０５が搬送されてきた記録材を検知している時間と、記録材の搬送速度とから求められる。記録材検知センサ２０６は、メイン搬送路２４０の両端部における記録材の有無を検知し、記録材の主走査方向の長さを求めるために用いられる。
【００１９】
両面ユニット検知センサ２０９は両面ユニット２３０が装着されているかどうかを検知するためのセンサである。両面ユニット検知センサ２０９はメカ的な構成のスイッチでもよいが、本実施の形態では、両面ユニット２３０側にあるコネクタ２３３と接触して通電することにより両面ユニットの装着を検知する電気的な構成のセンサが採用される。両面ユニット検知センサ２０９及びＣＰＵ５０１は、本発明における検知手段に該当する。
【００２０】
給送ローラ２０２は、対応する記録材カセット２０３に載置された記録材を１枚ずつ装置内へ搬送する。レジストローラ２０４は、搬送されてきた記録材について、画像形成部２０７で画像を転写するタイミングを調整するためのローラである。排紙ローラ２２０は、記録材を機外へ排出するためのローラである。駆動ギア２２６は、正転及び逆転が可能なギアであり、排紙ローラ２２０は駆動ギア２２６と一体に回転する。
【００２１】
駆動関係については図４で詳述するが、定着モータ２２１と両面モータ２３１とが選択的に駆動ギア２２６の駆動源となる。駆動ギア２２６は、定着モータ２２１を駆動源とする場合には、定着モータ２２１の動力を、定着ギア２２２、２２３を介して受けることで正回転し、排紙ローラ２２０を正回転させる（図２）。駆動ギア２２６は、両面モータ２３１を駆動源とする場合には、両面モータ２３１の動力を、両面ユニットギア２３６、２３５、２３４を介して受けることで逆回転し、排紙ローラ２２０を逆回転させる（図３）。
【００２２】
本実施の形態では、両面ユニット２３０の未装着時、装着時に、それぞれ、定着モータ２２１、両面モータ２３１の動力を利用して排紙ローラ２２０を回転させる。排紙ローラ２２０は、記録材の両面に印刷する場合、第１面に画像が形成された記録材を排出搬送路２４１に搬送した後に、逆回転して当該記録材を反転用搬送路２４２へ搬送する。
【００２３】
プリンタ１０３の本体には、変位可能な駆動解除レバー２２５が設けられる。両面ユニット２３０には、駆動解除レバー押下部２３２が設けられる。両面ユニット２３０は、反転用搬送路２４２の一部を有し、記録材の裏面である第２面に印刷する場合に記録材を搬送する。ここで、両面ユニット２３０を装着すると、両面ユニット２３０の駆動解除レバー押下部２３２が駆動解除レバー２２５を押圧することにより、排紙ローラ２２０を回転駆動する駆動源が定着モータ２２１から両面モータ２３１に切り替わる。このメカニズム、及び、両面ユニット２３０の有無に伴う記録材の搬送の詳細について図４（ａ）、（ｂ）を用いて説明する。
【００２４】
図４（ａ）、（ｂ）は、それぞれ、両面ユニット２３０の未装着時、装着時における排紙ローラ２２０及び定着モータ２２１の近辺の拡大図である。
【００２５】
定着モータ２２１は定着装置(不図示)に付随しているモータであり、定着ギア２２２などに動力を伝達する動力源である。駆動解除レバー２２５は、図４（ａ）の時計方向及び反時計方向に回動自在であると共に、バネ等によって反時計方向に付勢されており、自由状態においては不図示のストッパに当接して図４（ａ）に示す姿勢となっている。
【００２６】
定着ギア２２２及び定着ギア２２３は、ギアハウス２２４に対して回転可能に配設されている。ギアハウス２２４は定着ギア２２２の中心軸を回転中心として回転可能である。ギアハウス２２４が回転すると、定着ギア２２３の回転中心もそれに合わせて移動するが、定着ギア２２２の中心とギアハウス２２４の回転中心とが同じであるため、定着ギア２２２は移動しない。ギアハウス２２４は、図４（ａ）の時計方向及び反時計方向に回動自在であると共に、バネ等によって時計方向に付勢されている。
【００２７】
図５（ａ）は、駆動ギア２２６及び排紙ローラ２２０を回動中心の軸線方向から見た図である。この図は、図４（ａ）と同じ方向から見ている。図５（ｂ）は、駆動ギア２２６及び排紙ローラ２２０を回動中心の軸線に垂直な方向から見た図である。
【００２８】
駆動ギア２２６の中心に回転軸２２７が取り付けられており、回転軸２２７の軸線方向において回転軸２２７に排紙ローラ２２０が複数（２個）取り付けられている。駆動ギア２２６が正回転することで回転軸２２７を通して排紙ローラ２２０も正回転し、駆動ギア２２６が逆回転すれば排紙ローラ２２０も逆回転する。
【００２９】
両面ユニット２３０を装着して記録材の両面に印刷を行うためには、前述したように、表面に画像が形成された記録材を排出搬送路２４１に搬送した後に、排紙ローラ２２０を逆回転させて記録材を反転用搬送路２４２へ搬送する必要がある。しかし、この逆回転を定着モータ２２１の動力で実現しようとすると定着装置(不図示)も逆回転してしまう。通常、定着装置は順回転のみを行うのが好ましいから、定着モータ２２１が逆回転しても定着装置が逆回転しないようにするためにはギアやクラッチなどの部材を追加しなければならず、部品点数やコストが増加してしまう。
【００３０】
そこで、本実施の形態では、両面印刷を行うための駆動ギア２２６及び排紙ローラ２２０の逆回転の駆動を、定着モータ２２１ではなく、両面ユニット２３０の内部にある両面モータ２３１（図３）を用いて行う。ここで仮に、駆動ギア２２６に対して定着モータ２２１の動力と両面モータ２３１の動力の双方が伝わるとすると、駆動ギア２２６に無理な力がかかって破損するおそれがある。そのため、必ずどちらか片方の動力しか伝わらないようにメカ的に排他制御を行っている。この排他制御について説明する。
【００３１】
両面ユニット２３０が装着されると、図４（ｂ）に示すように、両面ユニット２３０に設けられた駆動解除レバー押下部２３２がプリンタ１０３内の駆動解除レバー２２５の下部を押圧する。すると駆動解除レバー２２５の上部が、駆動解除レバー押下部２３２に押圧された方向と逆方向に動き、ギアハウス２２４を押し動かす。ギアハウス２２４が駆動解除レバー２２５に押し動かされると、ギアハウス２２４に固定されている定着ギア２２３も同じ方向へ移動し、やがて定着ギア２２３と駆動ギア２２６との接続が切断される。
【００３２】
一方、両面ユニット２３０が装着されると、駆動ギア２２６と両面ユニットギア２３４とが接続される。両面ユニットギア２３４は両面ユニットギア２３５、２３６を介して両面モータ２３１と間接的に連結されており、両面モータ２３１の動力で回転する。結果として、両面ユニット２３０が装着されると駆動ギア２２６は定着モータ２２１ではなく両面モータ２３１の動力で回転するようになる。また、逆に両面ユニット２３０が取り外されると駆動解除レバー押下部２３２からの圧力がなくなるため、元通り定着ギア２２３と駆動ギア２２６とが接続される（図４（ａ））。
【００３３】
ここで、両面ユニット２３０の装着が不十分だと、両面ユニット検知センサ２０９と両面ユニット２３０側にあるコネクタ２３３とが接触しない。そのため、後述する印刷手段としてのプリンタ部５１１は両面ユニット２３０が装着状態となったことを検知することができない。しかし、この状態であっても、両面ユニット２３０が、ほぼ装着位置に位置すると、駆動解除レバー押下部２３２が駆動解除レバー２２５を押圧し、駆動ギア２２６への動力源が定着モータ２２１から両面モータ２３１に切り替わっている場合がある。このように、メカ的には装着状態にあるが電気的には装着状態であると検知されない状態を、両面ユニット２３０が「半挿し」の状態であると呼ぶことにする。
【００３４】
両面ユニット２３０が半挿しの状態では、プリンタ部５１１は両面ユニットの装着を検知していないので、印刷時に定着モータ２２１を動かすことで駆動ギア２２６及び排紙ローラ２２０を正回転させるよう制御する。しかし、メカ的には定着ギア２２３と駆動ギア２２６とが分離してしまっているので、定着モータ２２１の動力は駆動ギア２２６に伝わらず排紙ローラ２２０も回転しないため、排紙ローラ２２０の位置で記録材が搬送できずにジャムになってしまう。このようなジャムが繰り返し発生すると、ユーザ１０１にとって不利益があるだけでなく、プリンタ１０３も損傷を受ける可能性がある。本実施の形態では、このようなジャムの発生頻度の低減を狙う。
【００３５】
図６は、プリンタ１０３のコントローラユニット５１３のハードウェア構成を示すブロック図である。コントローラユニット５１３は、画像出力デバイスとして機能するプリンタ部５１１と接続することで、画像データやデバイス情報の入出力を行う。ＣＰＵ５０１は、プリンタ１０３全体を制御するプロセッサであり、本発明における制御手段に該当する。ＲＡＭ５０３は、ＣＰＵ５０１が動作するためのシステムワークメモリであり、プログラムを記録するためのプログラムメモリや、画像データを一時記録するための画像メモリでもある。ＮＶＭＥＭ５０４は不揮発性のメモリであり、設定情報等を記録する。ただしＮＶＭＥＭ５０４はＨＤＤなどの他記憶装置でもよい。
【００３６】
操作部５１６はデバイスを操作するためのキーとデバイスの状態を示すＬＥＤを有する。操作部Ｉ／Ｆ５１５は、操作部５１６とのインターフェース部で、操作部５１６にＬＥＤ用の制御情報を送信すると共に、操作部５１６からユーザ１０１が入力した情報をＣＰＵ５０１に伝える役割をする。表示部５１７はプリンタ部５１１の状態をユーザ１０１に通知するメッセージを表示したり、ユーザ１０１が入力した情報を表示したりする。ＦｌａｓｈＲＯＭ５０２は書き換え可能な不揮発性メモリであり、プリンタ１０３を制御するための各種制御プログラムが記録される。ＵＳＢインターフェース５０６は、外部装置とのＵＳＢ接続を可能にする。ＬＡＮインターフェース５１４は外部装置とのＬＡＮ接続を可能にする。以上のデバイスがシステムバス５０５上に配置される。
【００３７】
イメージバス（Ｉｍａｇｅ  Ｂｕｓ）Ｉ／Ｆ５０７は、データ構造を変換するバスブリッジであり、画像データを高速で転送する画像バス５１２とシステムバス５０５とを接続する。画像バス５１２は、ＰＣＩバスまたはＩＥＥＥ１３９４で構成される。画像バス５１２上には以下のデバイスが配置される。まずラスタイメージプロセッサ（ＲＩＰ）５０８はＰＤＬコードのようなベクトルデータをビットマップイメージに展開する。プリンタＩ／Ｆ５１０は、プリンタ部５１１とコントローラユニット５１３とを接続し、画像データの同期系／非同期系の変換や制御コマンドの送受信、電源供給を行う。画像処理部５０９は、入力画像データに対し補正、加工、編集を行ったり、プリント出力画像データに対して、プリンタの補正、解像度変換等を行ったりする。画像処理部５０９はまた、画像データの回転や、多値画像データに対してはＪＰＥＧ、２値画像データはＪＢＩＧ、ＭＭＲ、ＭＨ等の圧縮伸張処理を行う。
【００３８】
印刷制御部５１８はプリンタ部５１１の状態やＮＶＭＥＭ５０４に保持されている設定情報と入力画像データやその印刷設定を比較し、印刷を実行するのに不適当である場合は印刷実行を停止し、表示部５１７にエラーを表示するようにＣＰＵ５０１に通知する。例えば、印刷制御部５１８は、入力画像データの印刷設定が両面印刷実行を指示しているのに両面ユニット２３０が未装着の場合は、両面ユニット２３０を装着する必要がある旨をＣＰＵ５０１に通知する。また、印刷制御部５１８は、プリンタ部５１１からどのページの印刷が完了したかなどの情報を受信し、印刷の進行状況を管理する。プリンタ部５１１は、ラスタイメージデータを用紙上の画像に変換する部分である。その方式は感光体ドラムや感光体ベルトを用いた電子写真方式、微小ノズルアレイからインクを吐出して用紙上に直接画像を印字するインクジェット方式等があるが、どの方式でも構わない。印刷動作の起動は、ＣＰＵ５０１からの指示によって開始される。両面ユニット検知センサ２０９の検知信号はプリンタ部５１１に供給され、プリンタ部５１１からコントローラユニット５１３のＣＰＵ５０１に伝えられる。
【００３９】
図７は、起動時における処理のフローチャートである。この処理は、ＦｌａｓｈＲＯＭ５０２に格納されているプログラムをコントローラユニット５１３のＣＰＵ５０１が実行することでなされる。この処理は起動時に実行される。ここで起動時には、装置の電源ＯＮ時、あるいは、省電力モードからの復帰時が該当する。
【００４０】
まず、ステップＳ６０１では、起動時の初期化処理時にプリンタ部５１１からコントローラユニット５１３が受信した、両面ユニット２３０の装着に関する情報に基づいて、ＣＰＵ５０１は両面ユニット２３０の有無を検出する。このように起動処理中に両面ユニット２３０の有無を検出するのは、ユーザ１０１による両面ユニット２３０の着脱は、プリンタ１０３の電源ＯＦＦ中や省電力モード中に行われることが多いからである。なお、両面ユニット２３０の検出処理は、一定時間ごとにＣＰＵ５０１がプリンタ部５１１に問い合わせることで実行してもよいし、両面ユニット２３０の有無が変化する度にプリンタ部５１１からＣＰＵ５０１に変化通知として通知されるようにしてもよい。本実施の形態では一定時間ごとにＣＰＵ５０１がプリンタ部５１１に問い合わせる態様を採用している。
【００４１】
次に、ステップＳ６０１の検出処理の結果に基づいて、ＣＰＵ５０１は、両面ユニット２３０があるか否か（装着か未装着か）を判別する（ステップＳ６０２）。その判別の結果、両面ユニット２３０がある場合は、両面ユニット接続状態検知フラグＦ１をＯＮに設定する（ステップＳ６０３）。検知フラグＦ１は記憶手段としてのＲＡＭ５０３に記憶されるフラグであり、装置の起動後に一度でも両面ユニット２３０がある（装着）と判断された場合にＯＮとなり、その後、電源がオフになるまでＲＡＭ５０３は検知フラグＦ１をＯＮに維持する。従って、検知フラグＦ１が一旦ＯＮになると、その後、両面ユニット２３０の着脱が何度行われようとも、装置電源がＯＦＦされるまではＯＮのまま保持される。
【００４２】
次に、ＣＰＵ５０１は、投入されたジョブがあるか否かを判別する（ステップＳ６０４）。その判別の結果、ＣＰＵ５０１は、投入ジョブがない場合は、処理をステップＳ６０１に戻す。なお、両面ユニット２３０の有無の変化通知がプリンタ部５１１からＣＰＵ５０１に送信されるように構成した場合は、ステップＳ６０１で、変化通知を待つのと並行して、ジョブの投入を待つように制御すればよい。この場合、ＣＰＵ５０１は、ジョブが投入された場合はステップＳ６０５に処理を移行させ、両面ユニット有無の変化通知がプリンタ部５１１からきた場合はステップＳ６０２に処理を移行させる。
【００４３】
一方、ステップＳ６０４の判別の結果、投入ジョブがある場合は、ＣＰＵ５０１は、そのジョブが両面ジョブであるか否かを判別する（ステップＳ６０５）。ここで、両面ジョブは、記録材の両面に印刷を行うジョブであり、片面ジョブは記録材の表面に印刷を行うジョブである。その判別の結果、投入ジョブが両面ジョブである場合は、ＣＰＵ５０１は印刷制御部５１８に両面印刷実行を指示し、印刷制御部５１８は両面印刷を実行する（ステップＳ６０６）。一方、投入ジョブが片面ジョブである場合は、ＣＰＵ５０１は印刷制御部５１８に片面印刷実行を指示し、印刷制御部５１８は片面印刷を実行する（ステップＳ６０７）。ステップＳ６０６、Ｓ６０７の処理後はステップＳ６０１に処理が戻る。
【００４４】
ステップＳ６０２の判別の結果、両面ユニット２３０がない場合は、ＣＰＵ５０１は、投入されたジョブがあるか否かを判別する（ステップＳ６０８）。その判別の結果、ＣＰＵ５０１は、投入ジョブがない場合は、処理をステップＳ６０１に戻す。この場合の処理の流れは、ステップＳ６０４で投入ジョブがないと判別された場合と同様である。一方、投入ジョブがある場合は、ＣＰＵ５０１は、そのジョブが両面ジョブであるか否かを判別する（ステップＳ６０９）。
【００４５】
その判別の結果、投入ジョブが両面ジョブでなく片面ジョブである場合は、ＣＰＵ５０１は、ＲＡＭ５０３に保持されている検知フラグＦ１がＯＮであるか否かを判別する（ステップＳ６１０）。その判別の結果、検知フラグＦ１がＯＮでない場合は、ＣＰＵ５０１は印刷制御部５１８に片面印刷実行を指示し、印刷制御部５１８は片面印刷を実行する（ステップＳ６０７）。ここで検知フラグＦ１がＯＮでないということは、起動後に、両面ユニット２３０が１度も装着されたことがないことを意味する。この場合、ユーザ１０１は両面ユニット２３０をそもそも所持していないか、あるいは日常的には使用していない可能性が高く、両面ユニット２３０が半挿しになっている可能性は低い。それゆえに、通常通り、片面印刷実行を許可するように制御するのである。
【００４６】
一方、ステップＳ６１０の判別の結果、検知フラグＦ１がＯＮである場合は、ＣＰＵ５０１は、表示部５１７に両面ユニット２３０が未装着であることを示すエラー表示(両面ユニット未装着エラー)を表示するように通知する（ステップＳ６１１）。
【００４７】
図８は、表示部５１７に表示されるエラー表示の一例を示す図である。このエラー表示には、両面ユニット２３０が未装着である旨と、両面ユニット２３０の装着の確認及び装着を促す旨を含めるのがよい。ここで、ステップＳ６１０において検知フラグＦ１がＯＮであると判別された場合にエラー表示するのは、両面ユニット２３０が半挿しの状態で印刷が実行されるのを回避するためである。すなわち、この判別結果になる場合というのは、起動後に１回以上、両面ユニット２３０が装着されたことがあるのに、現在は、両面ユニット２３０が未装着となっている場合である。このような状況の１つとしては、両面ユニット２３０を使用した印刷中にジャムの発生等の理由により両面ユニット２３０を一度取り外し、その後、片面印刷が行われようとしている場合等が考えられる。
【００４８】
しかし、両面ユニット２３０を取り外して片面印刷を行おうとしているのか、両面ユニット２３０を装着したつもりなのに適切に装着できていない（つまり半挿しの）状態であるのかは、両面ユニット検知センサ２０９の検知結果だけでは判断できない。そこでＣＰＵ５０１は、直ちに片面印刷を実行するのではなく、表示部５１７にエラー表示を行うことで、両面ユニット２３０が半挿し状態であった場合は両面ユニット２３０を適切に装着し直してもらえるようユーザ１０１に通知することができる。このようにすることで、両面ユニット２３０が半挿しの状態で印刷が実行されてジャムが発生する可能性を低減することができる。
【００４９】
ステップＳ６０９の判別の結果、投入ジョブが両面ジョブである場合は、両面ユニット２３０の装着が必須となる。従って、検知フラグＦ１がＯＮか否かにかかわらず、ＣＰＵ５０１は表示部５１７にエラー表示（図８）を表示させ、両面ユニット２３０の装着をユーザ１０１に促す（ステップＳ６１１）。次に、ステップＳ６１２では、ＣＰＵ５０１は、両面ユニット２３０が改めて装着されたか否かを判別する。その判別の結果、両面ユニット２３０が装着されない場合は、ＣＰＵ５０１は、処理をステップＳ６１１に戻す。従って、表示部５１７にエラー表示が表示されている間、ＣＰＵ５０１は、両面ユニット２３０が改めて装着されたかどうかの監視を継続する。ＣＰＵ５０１は、両面ユニット２３０が装着されるまでエラー表示の表示を継続させ、印刷ができない（禁止される）ように制御し続ける。
【００５０】
ステップＳ６１１、Ｓ６１２の処理を繰り返している間に両面ユニット２３０が装着されると、ＣＰＵ５０１は、エラー表示解除するよう表示部５１７に通知する（ステップＳ６１３）。さらにＣＰＵ５０１は、画像データの印刷設定に合わせて、投入ジョブに応じた両面印刷あるいは片面印刷を実行するように印刷制御部５１８に指示する（ステップＳ６１４）。これにより、印刷禁止が解除される。その後、処理はステップＳ６０１に戻る。
【００５１】
本実施の形態によれば、片面ジョブの場合に、両面ユニット２３０が装着状態である旨が記憶されている状態で、両面ユニット２３０が装着されていないと判別されると、ＣＰＵ５０１は、印刷を禁止するよう制御する。これにより、両面ユニット２３０の装着が不十分なまま片面印刷が実行されないようにして、両面ユニット２３０の半挿しに起因するジャムの発生を回避することができる。
【００５２】
また、印刷を禁止した場合でも、両面ユニット２３０が装着されたことが改めて検知されると印刷の禁止が解除されるので、早急に印刷処理に復帰できる。さらに、印刷を禁止した場合には、エラー表示（図８）により、両面ユニット２３０を装着することを促すので、印刷復帰のための処理をユーザに知らせることができる。
【００５３】
また、両面ユニット２３０の装着有無の検出は、少なくとも起動時に実行されるので、起動前に両面ユニット２３０が着脱されたような状況に対して適切に対処することができる。
【００５４】
（第２の実施の形態）
第１の実施の形態において、図７のステップＳ６１０で、検知フラグＦ１がＯＮと判別される場合の１つとして、両面ユニット２３０を装着して印刷していたが両面ユニット２３０が故障したために取り外して片面印刷を行おうとしている場合が考えられる。しかし、第１の実施の形態における制御によれば、エラー表示された後に片面印刷を実行したい場合は、両面ユニット２３０を装着するか、両面ユニット２３０を装着しない状態で電源を一旦ＯＦＦし、その後、ＯＮにするしか対処方法がない。両面ユニット２３０が故障した場合は通常、後者を実行することになる。この場合、電源のＯＦＦ、ＯＮ操作や、電源ＯＦＦによって消えてしまった画像データを再投入する等の手間がかかることになり、ユーザ１０１にとって煩わしい。
【００５５】
そこで、本発明の第２の実施の形態では、上記のような場合においては、両面ユニット２３０を装着しなくても、エラー表示及び印刷禁止状態を解除（「エラー解除」と称する）する手段を追加する。しかし、両面ユニット２３０が半挿しの状態でエラー解除ができてしまうと、プリンタ１０３が損傷するおそれが増加する。そのため、両面ユニット２３０が半挿しままではエラー解除ができないような仕組みも導入する。
【００５６】
第２の実施の形態では、第１の実施の形態に対して、起動時における処理が異なり、図７に代えて図９を用いて第２の実施の形態を説明する。また、本実施の形態では操作部５１６は、エラーの解除指示をユーザから受け付けるためのエラー解除用ボタン（不図示）を有するものとする。その他の構成は第１の実施の形態と同様である。
【００５７】
図９は、起動時における処理のフローチャートである。ステップＳ７０１〜Ｓ７１１の処理は図７のステップＳ６０１〜Ｓ６１１の処理と同様である。ステップＳ７１１の処理後は、ＣＰＵ５０１は、投入ジョブが両面ジョブであるか否かを判別する（ステップＳ７１２）。その判別の結果、投入ジョブが両面ジョブである場合は、両面ユニット２３０の装着が必須となるので、ＣＰＵ５０１は、ステップＳ７１３、Ｓ７１４を実行することなく処理をステップＳ７１５に進める。従って、両面ジョブの場合は両面ユニット２３０が必須であるためエラー解除できないように制御される。
【００５８】
一方、投入ジョブが両面ジョブでなく片面ジョブである場合は、ＣＰＵ５０１は、両面ユニット未接続エラー解除フラグＦ２がＯＮであるか否かを判別する（ステップＳ７１３）。ここで、解除フラグＦ２は、後述するステップＳ７２１でＯＮに設定されるフラグであり、ＲＡＭ５０３に記憶される。解除フラグＦ２は、エラー解除後の片面ジョブの印刷時に排紙ローラ２２０付近でジャムが発生した場合にＯＮとされる。
【００５９】
その判別の結果、解除フラグＦ２がＯＮでない場合は、ＣＰＵ５０１は、操作部５１６のエラー解除用ボタンが押下されたか否かを判別する（ステップＳ７１４）。すなわち、操作部５１６のエラー解除用ボタンが有効になり、ユーザ１０１はエラー解除が可能になる。その判別の結果、操作部５１６のエラー解除用ボタンが押下されない場合は、ＣＰＵ５０１は、処理をステップＳ７１５に進める。
【００６０】
一方、ステップＳ７１４の判別の結果、エラー解除用ボタンが押下された場合は、ＣＰＵ５０１は、表示部５１７にエラーを解除するように通知する（ステップＳ７１８）。さらにＣＰＵ５０１は、片面ジョブに応じた片面印刷を実行するように印刷制御部５１８に指示する（ステップＳ７１９）。これにより、印刷の禁止が解除される。すなわち、両面ユニット２３０を装着しなくても、エラー解除して印刷を速やかに行え、両面ユニット２３０が半挿し等の事情がなければ、片面印刷は適切に遂行されることになる。
【００６１】
次に、ＣＰＵ５０１は、特定の箇所でジャムが発生したか否かを判別する（ステップＳ７２０）。ここで、特定の箇所とは、例えば、搬送路における排紙ローラ２２０付近とする。排紙ローラ２２０の回転動作が両面ユニット２３０の着脱に依存するからである。しかし特定の箇所はこの位置に限るものではない。例えば、メイン搬送路２４０や排出搬送路２４１のどこかで発生するジャムを検知してもよい。なお、ジャム発生の検知の手法は問わず、不図示のセンサを用いることで行ってもよいし、モータの負荷を検出することで行ってもよい。
【００６２】
排紙ローラ２２０付近でジャムが発生した場合、両面ユニット２３０が半挿しの状態である可能性が高いと考えられる。そこで、ステップＳ７２０の判別の結果、特定の箇所でジャムが発生した場合は、ＣＰＵ５０１は、ＲＡＭ５０３に記憶される解除フラグＦ２をＯＮに設定する（ステップＳ７２１）。
【００６３】
ステップＳ７２１の処理後は、処理はステップＳ７１１に戻る。従って、エラー表示が再びなされる。なお、ステップＳ７２１からステップＳ７１１に移行した場合は、エラー表示において、ジャムが発生した旨の報知も含めてもよい。ステップＳ７１３の判別の結果、解除フラグＦ２がＯＮである場合は、ＣＰＵ５０１は、ステップＳ７１４を実行することなく処理をステップＳ７１５に進める。従って、エラー解除後の片面ジョブの印刷時に排紙ローラ２２０付近でジャムが発生した場合には、操作部５１６のエラー解除用ボタンが無効になり、ユーザ１０１はエラー解除の操作を行えなくなる。これにより、半挿し等に起因する、さらなるジャムの発生が回避される。
【００６４】
ステップＳ７１５では、ＣＰＵ５０１は、両面ユニット２３０が改めて装着されたか否かを判別する。その判別の結果、両面ユニット２３０が装着されない場合は、ＣＰＵ５０１は、処理をステップＳ７１１に戻す。従って、操作部５１６のエラー解除用ボタンが有効に操作されず、且つ両面ユニット２３０の未装着の状態が続く限り、ＣＰＵ５０１はエラー表示を継続させ、印刷ができないように制御し続ける。一方、ＣＰＵ５０１は、両面ユニット２３０が装着された場合は、処理をステップＳ７１６に進める。ＣＰＵ５０１は、ステップＳ７１６、Ｓ７１７では、図７のステップＳ６１３、Ｓ６１４と同様の処理を実行する。
【００６５】
本実施の形態によれば、両面ユニット２３０の装着が不十分なまま印刷が実行されることを回避することに関し、第１の実施の形態と同様の効果を奏する。それだけでなく、エラーの解除指示が受け付けられた場合は印刷の禁止が解除されるので、電源のＯＦＦ、ＯＮ操作や画像データを再投入する等の煩雑な操作処理を要することなく印刷処理に復帰することができる。さらに、印刷の禁止が解除された後にジャムが発生すると、その後のエラーの解除指示の受け付けができないように制御されるので、エラーの解除後においても、両面ユニット２３０の装着が不十分なまま印刷が実行されることを回避することができる。
【００６６】
なお、本発明が適用される画像形成装置は両面ユニットが着脱可能であればよく、プリンタ１０３に限られず、種類や印刷方式は問わない。また、本発明を実現するための各手段は、プリンタ１０３という単体機内に全てを備えることは必須でない。ＣＰＵ５０１が実行するとした処理の一部または全部を、画像形成システム上におけるいずれかの場所に配置・構成される処理部が担うようにしてもよい。
【００６７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６８】
１０３  プリンタ
２２０  排紙ローラ
２２１  定着モータ
２２６  駆動ギア
２３０  両面ユニット
２３１  両面モータ
５０１  ＣＰＵ
【図１】
2016043615.tif 000003
【図２】
2016043615.tif 000004
【図３】
2016043615.tif 000005
【図４】
2016043615.tif 000006
【図５】
2016043615.tif 000007
【図６】
2016043615.tif 000008
【図７】
2016043615.tif 000009
【図８】
2016043615.tif 000010
【図９】
2016043615.tif 000011
【手続補正書】
【提出日】平成27年7月3日(2015.7.3)
【手続補正２】
【補正対象書類名】明細書
【補正対象項目名】０００１
【補正方法】変更
【補正の内容】
【０００１】
本発明は、両面ユニットを着脱可能な画像形成装置に関する。
【手続補正３】
【補正対象書類名】明細書
【補正対象項目名】０００８
【補正方法】変更
【補正の内容】
【０００８】
上記目的を達成するために本発明の画像形成装置は、片面印刷を実行可能であり、両面ユニットを装着することによって両面印刷を実行可能になる画像形成装置であって、シートに画像を印刷する印刷手段と、前記両面ユニットの装着を検知する検知手段と、前記両面ユニットの装着が前記検知手段によって過去に検知されたことがある旨が記憶されている状態で、前記両面ユニットの装着が前記検知手段によって検知されなくなったことに基づき、前記印刷手段による両面印刷及び片面印刷の実行を禁止する制御手段と、を有することを特徴とする。
【手続補正４】
【補正対象書類名】特許請求の範囲
【補正対象項目名】全文
【補正方法】変更
【補正の内容】
【特許請求の範囲】
【請求項１】
片面印刷を実行可能であり、両面ユニットを装着することによって両面印刷を実行可能になる画像形成装置であって、
シートに画像を印刷する印刷手段と、
前記両面ユニットの装着を検知する検知手段と、
前記両面ユニットの装着が前記検知手段によって過去に検知されたことがある旨が記憶されている状態で、前記両面ユニットの装着が前記検知手段によって検知されなくなったことに基づき、前記印刷手段による両面印刷及び片面印刷の実行を禁止する制御手段と、
を有することを特徴とする画像形成装置。
【請求項２】
前記両面ユニットの装着が前記検知手段によって過去に検知されたことがある旨が記憶されている状態で、前記両面ユニットの装着が前記検知手段によって検知されなくなったことに基づき、エラー画面を表示部に表示させる表示手段を更に備えることを特徴とする請求項１に記載の画像形成装置。
【請求項３】
前記表示部に前記エラー画面が表示された後に、前記両面ユニットの装着が前記検知手段によって再び検知されると、前記制御手段は、前記印刷手段による両面印刷及び片面印刷の実行を許可することを特徴とする請求項２に記載の画像形成装置。
【請求項４】
前記印刷手段による両面印刷及び片面印刷の実行が禁止された状態でユーザによって所定の操作がなされると、前記制御手段は、両面印刷の実行を禁止したまま片面印刷の実行は許可することを特徴とする請求項１乃至３のいずれか１項に記載の画像形成装置。
【請求項５】
片面印刷を実行可能であり、両面ユニットを装着することによって両面印刷を実行可能になる画像形成装置であって、
シートに画像を印刷する印刷手段と、
前記両面ユニットの装着を検知する検知手段と、
前記両面ユニットの装着が前記検知手段によって過去に検知されたことがある旨が記憶されている状態で、前記両面ユニットの装着が前記検知手段によって検知されなくなったことに基づき、エラー画面を表示部に表示させる表示手段と、
を有することを特徴とする画像形成装置。
【請求項６】
前記検知手段は、前記両面ユニットの装着を、少なくとも前記画像形成装置の起動時に検知することを特徴とする請求項１乃至５のいずれか１項に記載の画像形成装置。
【請求項７】
前記両面ユニットの装着が前記検知手段によって過去に検知されたことがある旨を示す情報を記憶する記憶手段を更に備え、
前記記憶手段は、前記両面ユニットの装着が前記検知手段によって検知されてから、前記画像形成装置の電源がオフされるまでの間、前記情報を記憶することを特徴とする請求項１乃至６のいずれか１項に記載の画像形成装置。
【請求項８】
前記両面ユニットには、両面印刷時に使用するシート搬送経路の少なくとも一部が含まれることを特徴とする請求項１乃至７のいずれか１項に記載の画像形成装置。
【請求項９】
前記画像形成装置に備えられた複数の搬送ローラに含まれる少なくとも１つの搬送ローラは、前記両面ユニットが装着されると、当該両面ユニットに含まれる動力源によって駆動されることを特徴とする請求項１乃至８のいずれか１項に記載の画像形成装置。
【請求項１０】
片面印刷を実行可能であり、両面ユニットを装着することによって両面印刷を実行可能になる画像形成装置の制御方法であって、
シートに画像を印刷する印刷工程と、
前記両面ユニットの装着を検知する検知工程と、
前記両面ユニットの装着が前記検知工程によって過去に検知されたことがある旨が記憶されている状態で、前記両面ユニットの装着が前記検知工程で検知されなくなったことに基づき、前記印刷工程における両面印刷及び片面印刷の実行を禁止する制御工程と、
を有することを特徴とする画像形成装置の制御方法。
【請求項１１】
片面印刷を実行可能であり、両面ユニットを装着することによって両面印刷を実行可能になる画像形成装置の制御方法であって、
シートに画像を印刷する印刷工程と、
前記両面ユニットの装着を検知する検知工程と、
前記両面ユニットの装着が前記検知工程によって過去に検知されたことがある旨が記憶されている状態で、前記両面ユニットの装着が前記検知工程で検知されなくなったことに基づき、エラー画面を表示部に表示させる表示工程と、
を有することを特徴とする画像形成装置の制御方法。
【請求項１２】
請求項１０または１１に記載の画像形成装置の制御方法をコンピュータに実行させるためのプログラム。